(57)【特許請求の範囲】
【請求項１】
順次に配列された第１原色光用ラインセンサ、第２原色光用ラインセンサ及び第３原色光用ラインセンサと、
上記第１原色光用ラインセンサの片側に配され、該第１原色光用ラインセンサの奇数番目（又は偶数番目）の受光部よりの第１原色画素信号を受けて転送する第１原色信号用シフトレジスタと、
上記第１及び第２原色光用ラインセンサ間に配され、上記第１原色光用ラインセンサの偶数番目（又は奇数番目）の受光部よりの第１原色画素信号及び上記第２原色光用ラインセンサの奇数番目（又は偶数番目）の受光部よりの第２原色画素信号を受けて、上記第１原色画素信号及び上記第２原色画素信号を転送する第１及び第２原色信号兼用シフトレジスタと、
上記第２及び第３原色光用ラインセンサ間に配され、上記第２原色光用ラインセンサの偶数番目（又は奇数番目）の受光部よりの第２原色画素信号及び上記第３原色光用ラインセンサの奇数番目（又は偶数番目）の受光部よりの第３原色画素信号を受けて、上記第２原色画素信号及び上記第３原色画素信号を転送する第２及び第３原色信号兼用シフトレジスタと、
上記第３原色光用ラインセンサの片側に配され、該第３原色光用ラインセンサの偶数番目（奇数番目）の受光部よりの第３原色画素信号を受けて転送する第３原色信号用シフトレジスタとを有し、
上記第１原色信号用シフトレジスタ及び上記第３原色信号用シフトレジスタに供給される転送クロックの周波数の２倍の周波数の転送クロックを、上記第１及び第２原色信号兼用シフトレジスタ並びに上記第２及び第３原色信号兼用シフトレジスタに供給するようにしたことを特徴とするカラーライン画像読み取り装置。
【発明の詳細な説明】
【０００１】
【発明の属する技術分野】
本発明はカラーライン画像読み取り装置に関する。
【０００２】
【従来の技術】
以下に、図３を参照して、従来のカラーライン画像読み取り装置について説明する。Ｓ（Ｒ）、Ｓ（Ｇ）及びＳ（Ｂ）は、それぞれ赤色光用、緑色光用及び青色光用ラインセンサで、この順序に並置されている。そして、赤色光用、緑色光用及び青色光用ラインセンサＳ（Ｒ）、Ｓ（Ｇ）、Ｓ（Ｂ）の両側に、それぞれ第１及び第２の赤信号用ＣＣＤレジスタ（シフトレジスタ）ＲＧ（Ｒ１）、Ｒ（Ｒ２）、第１及び第２の緑信号用ＣＣＤレジスタ（シフトレジスタ）ＲＧ（Ｇ１）、Ｒ（Ｇ２）並びに第１及び第２の青信号用ＣＣＤレジスタ（シフトレジスタ）ＲＧ（Ｂ１）、Ｒ（Ｂ２）が並置されている。ここで、ＣＣＤは電荷結合素子(Charge Coupled Device) を示す。
【０００３】
そして、赤色光用ラインセンサＳ（Ｒ）の図３において左端の受光部から数えて奇数番目の受光部Ｒよりの赤画素信号が第１の赤信号用レジスタＲＧ（Ｒ１）に、偶数番目の受光部Ｒよりの赤画素信号が第２の赤信号用レジスタＲＧ（Ｒ２）にそれぞれ転送ゲート（図示せず）を通じて転送された後、第１及び第２の赤信号用レジスタＲＧ（Ｒ１）、ＲＧ（Ｒ２）の各赤画素信号は、図３において左方向に転送されて、増幅器Ｔ（Ｒ１）、Ｔ（Ｒ２）を通じて、出力端子Ｔ（Ｒ１）、Ｔ（Ｒ２）に出力される。
【０００４】
又、緑色光用ラインセンサＳ（Ｇ）の図３において左端の受光部から数えて奇数番目の受光部Ｇよりの緑画素信号が第１の緑信号用レジスタＲＧ（Ｇ１）に、偶数番目の受光部Ｇよりの緑画素信号が第２の緑信号用レジスタＲＧ（Ｇ２）にそれぞれ転送ゲート（図示せず）を通じて転送された後、第１及び第２の緑信号用レジスタＲＧ（Ｇ１）、ＲＧ（Ｇ２）の各緑画素信号は、図３において左方向に転送されて、増幅器Ｔ（Ｇ１）、Ｔ（Ｇ２）を通じて、出力端子Ｔ（Ｇ１）、Ｔ（Ｇ２）に出力される。
【０００５】
更に、青色光用ラインセンサＳ（Ｂ）の図３において左端の受光部から数えて奇数番目の受光部Ｂよりの青画素信号が第１の青信号用レジスタＲＧ（Ｂ１）に、偶数番目の受光部Ｂよりの青画素信号が第２の青信号用レジスタＲＧ（Ｂ２）にそれぞれ転送ゲート（図示せず）を通じて転送された後、第１及び第２の青信号用レジスタＲＧ（Ｂ１）、ＲＧ（Ｂ２）の各青画素信号は、図３において左方向に転送されて、増幅器Ｔ（Ｂ１）、Ｔ（Ｂ２）を通じて、出力端子Ｔ（Ｂ１）、Ｔ（Ｂ２）に出力される。
【０００６】
そして、各ＣＣＤレジスタＲＧ（Ｒ１）、ＲＧ（Ｒ２）、ＲＧ（Ｇ１）、ＲＧ（Ｇ２）、ＲＧ（Ｂ１）、ＲＧ（Ｂ２）には、図２Ａ、Ｂに示すような２相転送クロックφ１、φ２が供給されて駆動される。
【０００７】
赤色光用、緑色光用及び青色光用ラインセンサＳ（Ｒ）、Ｓ（Ｇ）、Ｓ（Ｂ）に対する赤信号用、緑信号用及び青信号用ＣＣＤレジスタがそれぞれ１個である場合には、その各ＣＣＤレジスタに供給する転送クロックは図２Ｃ、２Ｄに示すような高い周波数のものが必要であるが、図１の従来のカラーライン画像読み取り装置によれば、その２相転送クロックφ１、φ２の周波数は、転送クロックφ３、φ４の周波数に較べて半分の周波数となるので、画像処理が容易になる。
【０００８】
【発明が解決しようとする課題】
ところが、図３の従来のカラーライン画像読み取り装置では、ＣＣＤレジスタが６本必要となるので、赤色光用、緑色光用及び青色光用ラインセンサ間の間隔が広くなって、外部で使用するライン間距離補正メモリの容量が大きくなり、又、画像処理も複雑となり、カラーライン画像読み取り装置をＩＣチップ化した場合、チップ面積が広くなってしまう。
【０００９】
かかる点に鑑み、本発明は、第１原色光用、第２原色光用及び第３原色光用ラインセンサ間の間隔があまり広くならず、外部で使用するライン間距離補正メモリの容量があまり大きくならず、ＩＣチップ化した場合、チップ面積があまり広くならずして、画像処理があまり複雑にないカラーライン画像読み取り装置を提案しようとするものである。
【００１０】
【課題を解決するための手段】
本発明によるカラーライン画像読み取り装置は、順次に配列された第１原色光用ラインセンサ、第２原色光用ラインセンサ及び第３原色光用ラインセンサと、第１原色光用ラインセンサの片側に配され、その第１原色光用ラインセンサの奇数番目（又は偶数番目）の受光部よりの第１原色画素信号を受けて転送する第１原色信号用シフトレジスタと、第１及び第２原色光用ラインセンサ間に配され、第１原色光用ラインセンサの偶数番目（又は奇数番目）の受光部よりの第１原色画素信号及び上記第２原色光用ラインセンサの奇数番目（又は偶数番目）の受光部よりの第２原色画素信号を受けて上記第１原色画素信号及び上記第２原色画素信号を転送する第１及び第２原色信号兼用シフトレジスタと、第２及び第３原色光用ラインセンサ間に配され、第２原色光用ラインセンサの偶数番目（又は奇数番目）の受光部よりの第２原色画素信号及び上記第３原色光用ラインセンサの奇数番目（又は偶数番目）の受光部よりの第３原色画素信号を受けて上記第２原色画素信号及び上記第３原色画素信号を転送する第２及び第３原色信号兼用シフトレジスタと、第３原色光用ラインセンサの片側に配され、第３原色光用ラインセンサの偶数番目（奇数番目）の受光部よりの第３原色画素信号を受けて転送する第３原色信号用シフトレジスタとを有し、第１原色信号用シフトレジスタ及び第３原色信号用シフトレジスタに供給される転送クロックの周波数の２倍の周波数の転送クロックを、第１及び第２原色信号兼用シフトレジスタ並びに第２及び第３原色信号兼用シフトレジスタに供給するようにしたものである。
【００１１】
かかる本発明によれば、第１原色信号用シフトレジスタが、第１原色光用ラインセンサの片側に配され、その第１原色光用ラインセンサの奇数番目（又は偶数番目）の受光部よりの第１原色画素信号を受けて転送し、第１及び第２原色信号兼用シフトレジスタが、第１及び第２原色光用ラインセンサ間に配され、第１原色光用ラインセンサの偶数番目（又は奇数番目）の受光部よりの第１原色画素信号を受けて転送すると共に、第２原色光用ラインセンサの奇数番目（又は偶数番目）の受光部よりの第２原色画素信号を受けて転送し、第２及び第３原色信号兼用シフトレジスタが、第２及び第３原色光用ラインセンサ間に配され、第２原色光用ラインセンサの偶数番目（又は奇数番目）の受光部よりの第２原色画素信号を受けて転送すると共に、第３原色光用ラインセンサの奇数番目（又は偶数番目）の受光部よりの第３原色画素信号を受けて転送し、第３原色信号用シフトレジスタが、第３原色光用ラインセンサの片側に配され、第３原色光用ラインセンサの偶数番目（奇数番目）の受光部よりの第３原色画素信号を受けて転送する。
【００１４】
【発明の実施の形態】
〔発明の実施の形態の具体例〕以下に、図１を参照して、本発明の実施の形態の具体例のカラーライン画像読み取り装置を説明する。ここで、赤、緑及び青をそれぞれ、例えば、第１、第２及び第３原色とする。Ｓ（Ｒ）、Ｓ（Ｇ）及びＳ（Ｂ）は、それぞれ赤色光用、緑色光用及び青色光用ラインセンサで、この順序に並置されている。そして、赤色光用ラインセンサＳ（Ｒ）の片側に、赤信号用ＣＣＤレジスタ（シフトレジスタ）ＲＧ（Ｒ）を配し、赤色光用ラインセンサＳ（Ｒ）の図１において左端の受光部から数えて奇数番目の受光部Ｒよりの赤画素信号を赤信号用レジスタＲＧ（Ｒ）に、転送ゲート（図示せず）を通じて転送した後、図１において左方向に向かって転送して、増幅器Ａ（Ｒ）を通じて、出力端子Ｔ（Ｒ）に出力する。
【００１５】
赤色光用ラインセンサＳ（Ｒ）及び緑色光用ラインセンサＳ（Ｇ）間に、赤／緑信号用（兼用）ＣＣＤレジスタＲＧ（Ｒ／Ｇ）を配し、赤色光用ラインセンサＳ（Ｒ）の図１において左端の受光部から数えて偶数番目の受光部Ｒよりの赤画素信号を転送ゲート（図示せず）を通じて、赤／緑信号用ＣＣＤレジスタＲＧ（Ｒ／Ｇ）に転送した後、図１において左方向に向かって転送して、増幅器Ａ（Ｒ／Ｇ）を通じて、出力端子Ｔ（Ｒ／Ｇ）に出力する。緑色光用ラインセンサＳ（Ｇ）の図１において左端の受光部から数えて奇数番目の受光部Ｇよりの緑画素信号を転送ゲート（図示せず）を通じて、赤／緑信号用ＣＣＤレジスタＲＧ（Ｒ／Ｇ）に転送した後、図１において左方向に向かって転送して、増幅器Ａ（Ｒ／Ｇ）を通じて、出力端子Ｔ（Ｒ／Ｇ）に出力する。
【００１６】
緑色光用ラインセンサＳ（Ｇ）及び青色光用ラインセンサＳ（Ｂ）間に、緑／青信号用（兼用）ＣＣＤレジスタＲＧ（Ｇ／Ｂ）を配し、緑色光用ラインセンサＳ（Ｇ）の図１において左端の受光部から数えて偶数番目の受光部Ｇよりの緑画素信号を転送ゲート（図示せず）を通じて、緑／青信号用ＣＣＤレジスタＲＧ（Ｇ／Ｂ）に転送した後、図１において左方向に向かって転送して、増幅器Ａ（Ｇ／Ｂ）を通じて、出力端子Ｔ（Ｇ／Ｂ）に出力する。青色光用ラインセンサＳ（Ｂ）の図１において左端の受光部から数えて奇数番目の受光部Ｂよりの青画素信号を転送ゲート（図示せず）を通じて、緑／青信号用ＣＣＤレジスタＲＧ（Ｇ／Ｂ）に転送した後、図１において左方向に向かって転送して、増幅器Ａ（Ｇ／Ｂ）を通じて、出力端子Ｔ（Ｇ／Ｂ）に出力する。
【００１７】
青色光用ラインセンサＳ（Ｂ）の片側に、青信号用ＣＣＤレジスタ（シフトレジスタ）ＲＧ（Ｂ）を配し、青色光用ラインセンサＳ（Ｂ）の図１において左端の受光部から数えて偶数番目の受光部Ｂよりの青画素信号を青信号用レジスタＲＧ（Ｂ）に、転送ゲート（図示せず）を通じて転送した後、図１において左方向に向かって転送して、増幅器Ａ（Ｂ）を通じて、出力端子Ｔ（Ｂ）に出力する。
【００１８】
そして、赤信号用及び青信号用ＣＣＤレジスタＲＧ（Ｒ）、ＲＧ（Ｂ）には、図２Ａ、Ｂに示す２相転送クロックφ１、φ２を供給してＣＣＤレジスタＲＧ（Ｒ）及びＲＧ（Ｂ）を駆動する。
【００１９】
又、赤／緑信号用（兼用）及び緑／青信号用（兼用）ＣＣＤレジスタＲＧ（Ｒ／Ｇ）、ＲＧ（Ｇ／Ｂ）には、図２Ｃ、Ｄに示す、図２Ａ、Ｄの転送クロックφ１、φ２の２倍の周波数を有し、転送クロックφ１、φ２に同期した２相転送クロックφ３、φ４を供給してＣＣＤレジスタＲＧ（Ｒ）及びＲＧ（Ｂ）を駆動する。
【００２０】
【発明の効果】
上述せる本発明によれば、順次に配列された第１原色光用ラインセンサ、第２原色光用ラインセンサ及び第３原色光用ラインセンサと、第１原色光用ラインセンサの片側に配され、その第１原色光用ラインセンサの奇数番目（又は偶数番目）の受光部よりの第１原色画素信号を受けて転送する第１原色信号用シフトレジスタと、第１及び第２原色光用ラインセンサ間に配され、第１原色光用ラインセンサの偶数番目（又は奇数番目）の受光部よりの第１原色画素信号を受けて転送すると共に、第２原色光用ラインセンサの奇数番目（又は偶数番目）の受光部よりの第２原色画素信号を受けて転送する第１及び第２原色信号兼用シフトレジスタと、第２及び第３原色光用ラインセンサ間に配され、第２原色光用ラインセンサの偶数番目（又は奇数番目）の受光部よりの第２原色画素信号を受けて転送すると共に、第３原色光用ラインセンサの奇数番目（又は偶数番目）の受光部よりの第３原色画素信号を受けて転送する第２及び第３原色信号兼用シフトレジスタと、第３原色光用ラインセンサの片側に配され、第３原色光用ラインセンサの偶数番目（奇数番目）の受光部よりの第３原色画素信号を受けて転送する第３原色信号用シフトレジスタとを有するので、第１原色光用、第２原色光用及び第３原色光用ラインセンサ間の間隔があまり広くならず、外部で使用するライン間距離補正メモリの容量があまり大きくならず、ＩＣチップ化した場合、チップ面積があまり広くならずして、画像処理があまり複雑にないカラーライン画像読み取り装置を得ることができる。
【００２１】
また、第１の本発明のカラーライン画像読み取り装置において、第１原色信号用シフトレジスタ及び第３原色信号用シフトレジスタに供給される転送クロックの周波数の２倍の周波数の転送クロックを、第１及び第２原色信号兼用シフトレジスタ並びに第２及び第３原色信号兼用シフトレジスタに供給するようにしたので、第１及び第２原色信号兼用シフトレジスタ並びに第２及び第３原色光信号兼用シフトレジスタを用いるのに拘らず、各原色画素信号の画像処理を均等に行うことのできるカラーライン画像読み取り装置を得ることができる。
【図面の簡単な説明】
【図１】本発明の実施の形態の具体例のカラーライン画像読み取り装置を示す配置図である。
【図２】ＣＣＤレジスタに供給する転送クロックを示すタイミングチャートである。
【図３】従来例のカラーライン画像読み取り装置を示す配置図である。
【符号の説明】
Ｓ（Ｒ）  赤色光用ラインセンサ、Ｓ（Ｇ）  緑色光用ラインセンサ、Ｓ（Ｇ）  青色光用ラインセンサ、ＲＧ（Ｒ）  赤信号用ＣＣＤレジスタ、ＲＧ（Ｒ／Ｇ）  赤／緑信号用（兼用）ＣＣＤレジスタ、ＲＧ（Ｇ／Ｂ）  緑／青信号用（兼用）ＣＣＤレジスタ、ＲＧ（Ｂ）  青信号用ＣＣＤレジスタ。
【図１】
0004038900.tif 000002
【図２】
0004038900.tif 000003
【図３】
0004038900.tif 000004